【手続補正書】
【提出日】平成17年1月7日(2005.1.7)
【手続補正１】
【補正対象書類名】特許請求の範囲
【補正対象項目名】全文
【補正方法】変更
【補正の内容】
【特許請求の範囲】
【請求項１】
複数の個々に移動可能な検出器モジュールを含む検出器リングを備える装置であって、ここで、該検出器リングは、小モード検出器リング直径ＤＳおよび大モード検出リング直径ＤＬを有し；
ここで、複数の個々に移動可能な検出器の各々は、長寸法Ｗおよび短寸法Ｈを有し；そして
ここでＨ／ＤＳが、Ｗ／ＤＬにほぼ等しい、
装置。
【請求項２】
請求項１に記載の装置であって、ここで、前記検出器リングが、主軸を規定し、そして前記複数の個々の移動可能な検出器モジュールが、以下：
第１モジュール軸の周りで回転可能な、第１回転可能検出器モジュール；および
第２モジュール軸の周りで回転可能な、第２回転可能検出器モジュール、
を備える、装置。
【請求項３】
請求項２に記載の装置であって、ここで、前記第１モジュール軸が、前記主軸に対して実質的に垂直であり、そして前記第２モジュール軸が、該主軸に対して実質的に垂直である、装置。
【請求項４】
請求項２に記載の装置であって、ここで、
前記第１回転可能検出器モジュールが、第１検出器大モード位置と第１検出器小モード位置との間に再位置付け可能であり、該第１検出器大モード位置において、該第１回転可能検出器モジュールの長寸法が、前記主軸に対して実質的に垂直であり、そして該第１検出器小モード位置において、該第１回転可能検出器モジュールの長寸法が、該主軸に対して実質的に平行であり、そして
前記第２回転可能検出器モジュールが、第２検出器大モード位置と第２検出器小モード位置との間に再位置付け可能であり、該第２検出器大モード位置において、該第２回転可能検出器モジュールの長寸法が、該主軸に対して実質的に垂直であり、そして該第２検出器小モード位置において、該第２回転可能検出器モジュールの長寸法が、該主軸に対して実質的に平行である、
装置。
【請求項５】
請求項４に記載の装置であって、ここで、前記第１回転可能検出器モジュールが前記第１検出器大モード位置にあり、そして前記第２回転可能検出器モジュールが前記第２検出器大モード位置にある場合、該第１回転可能検出器モジュールと該第２回転可能検出器モジュールとの間に実質的隙間がない、装置。
【請求項６】
請求項４に記載の装置であって、ここで、前記第１回転可能検出器モジュールが前記第１検出器小モード位置にあり、そして前記第２回転可能検出器モジュールが前記小モード位置にある場合、該第１回転可能検出器モジュールと該第２回転可能検出器モジュールとの間に実質的隙間がない、装置。
【請求項７】
請求項４に記載の装置であって、ここで、
ｉ）前記第１回転可能検出器モジュールが、前記第１検出器大モード位置と前記第１検出器小モード位置との間で連続的に回転可能であり、そして
ｉｉ）前記第２回転可能検出器モジュールが、前記第２検出器大モード位置と前記第２検出器小モード位置との間で連続的に回転可能である、装置。
【請求項８】
請求項７に記載の装置であって、ｉ）前記第１回転可能検出器モジュールが前記第１検出器小モード位置と前記第１検出器大モード位置との間に位置付けられる場合、およびｉｉ）前記第２回転可能検出器モジュールが、前記第２検出器小モード位置と前記第２検出器大モード位置との間に位置付けられる場合、該第１回転可能検出器モジュールと該第２回転可能検出器モジュールとの間に隙間がある、装置。
【請求項９】
請求項８に記載の装置であって、ここで、前記第１回転可能検出器モジュールが、該第１回転可能検出器モジュールが前記第１検出器小モード位置と前記第１検出器大モード位置との間で回転する時間の間の少なくとも一部の間、前記主軸から第１回転可能検出器待機位置に半径方向に引かれる、装置。
【請求項１０】
請求項８に記載の装置であって、ここで、前記第２回転可能検出器モジュールが、該第２回転可能検出器モジュールが前記第２検出器小モード位置と前記第２検出器大モード位置との間で回転する時間の間の少なくとも一部の間、前記主軸から第２回転可能検出器待機位置に半径方向に引かれる、装置。
【請求項１１】
請求項２に記載の装置であって、ここで、前記第１回転可能検出器モジュールおよび前記第２回転可能検出器モジュールの両方が、前記検出器リングの主軸に関して、半径方向に置換可能である、装置。
【請求項１２】
請求項１１に記載の装置であって、ここで、前記第１回転可能検出器モジュールおよび前記第２回転可能検出器モジュールの両方の半径方向の置換が、前記第１回転可能検出器および該第２回転可能検出器の両方の個々の回転と同時に生じ得る、装置。
【請求項１３】
請求項１に記載の装置であって、前記検出器リングに連結される、複数の個々の移動可能な検出器リングシールド部分をさらに備える、装置。
【請求項１４】
請求項１に記載の装置であって、ここで、
ｉ）前記検出器リングが、主軸を規定し、
ｉｉ）前記複数の個々の移動可能検出器モジュールの第１サブセットが、該第１サブセットの各々のモジュールの前記長寸法が該主軸に実質的に平行である小モード位置に位置付けられ得、そして
ｉｉｉ）該複数の個々の移動可能検出器モジュールの第２サブセットが、該第２サブセットの各々のモジュールの前記長寸法が該主軸に実質的に垂直である大モード位置に位置付けられ得る、
装置。
【請求項１５】
請求項１に記載の装置であって、ここで、
ｉ）前記検出器リングが、主軸を規定し、
ｉｉ）前記複数の個々の移動可能検出器モジュールの第１サブセットが、サブ小モード位置に位置付けられ得、そして
ｉｉｉ）前記複数の個々の移動可能検出器モジュールの第２サブセットが、待機位置に位置付けられ得、該第２サブセットが、該第１サブセットよりも、該主軸から遠くに配置される、
装置。
【請求項１６】
陽電子放射断層撮影カメラである、請求項１に記載の装置。
【請求項１７】
複数の独立して移動可能な検出器モジュールのうちの少なくとも１つを移動する工程を包含する、検出器リングを変換する工程、
を包含する、方法であって、
ここで、該検出器リングは、小モード検出器リング直径ＤＳおよび大モード検出リング直径ＤＬを有し；
ここで、複数の個々に移動可能な検出器の各々は、長寸法Ｗおよび短寸法Ｈを有し；そして
Ｈ／ＤＳが、Ｗ／ＤＬにほぼ等しい、
方法。
【請求項１８】
請求項１７に記載の方法であって、ここで、前記検出器リングが、主軸を規定し、そして変換する工程が、第１モジュール軸の周りで第１回転可能検出器モジュールを回転させる工程、および第２モジュール軸の周りで第２回転可能検出器モジュールを回転させる工程を包含する、方法。
【請求項１９】
請求項１８に記載の方法であって、ここで、前記第１モジュール軸が、前記主軸に対して実質的に垂直であり、そして前記第２モジュール軸が、前記主軸に対して実質的に垂直である、方法。
【請求項２０】
請求項１８に記載の方法であって、ここで、変換する工程が、以下：
前記第１回転可能検出器モジュールを、第１検出器大モード位置と第１検出器小モード位置との間で回転させる工程であって、ここで、該第１検出器大モード位置において、該第１回転可能検出器モジュールの長寸法が、前記主軸に対して実質的に垂直であり、そして該第１検出器小モード位置において、該回転可能検出器モジュールの長寸法が、該主軸に対して実質的に平行である、工程；および
前記第２回転可能検出器モジュールを、第２検出器大モード位置と第２検出器小モード位置との間で回転させる工程であって、ここで、該第２検出器大モード位置において、該第２回転可能検出器モジュールの長寸法が、前記主軸に対して実質的に垂直であり、そして該第２検出器小モード位置において、該第２回転可能検出器モジュールの長寸法が、該主軸に対して実質的に平行である、工程、
を包含する、方法。
【請求項２１】
請求項２０に記載の方法であって、ここで、前記第１回転可能検出器モジュールが前記第１検出器大モード位置にあり、そして前記第２回転可能検出器モジュールが前記第２検出器大モード位置にある場合、該第１回転可能検出器モジュールと該第２回転可能検出器モジュールとの間に実質的隙間がない、方法。
【請求項２２】
請求項２０に記載の方法であって、ここで、前記第１回転可能検出器モジュールが前記第１検出器小モード位置にあり、そして前記第２回転可能検出器モジュールが前記小モード位置にある場合、該第１回転可能検出器モジュールと該第２回転可能検出器モジュールとの間に実質的隙間がない、方法。
【請求項２３】
請求項２０に記載の方法であって、ここで、
ｉ）前記第１回転可能検出器モジュールが、前記第１検出器大モード位置と前記第１検出器小モード位置との間で連続的に回転可能であり、そして
ｉｉ）前記第２回転可能検出器モジュールが、前記第２検出器大モード位置と前記第２検出器小モード位置との間で連続的に回転可能である、
方法。
【請求項２４】
請求項２３に記載の方法であって、ここで、ｉ）前記第１回転可能検出器モジュールが前記第１検出器小モード位置と前記第１検出器大モード位置との間に位置付けられる場合、およびｉｉ）前記第２回転可能検出器モジュールが、前記第２検出器小モジュールと前記第２検出器大モード位置との間に位置付けられる場合、該第１回転可能検出器モジュールと該第２回転可能検出器モジュールとの間に隙間がある、方法。
【請求項２５】
請求項１８に記載の方法であって、ここで、前記主軸に関して前記第１回転可能検出器モジュールを半径方向に置換する工程、および該主軸に関して前記第２回転可能検出器モジュールを半径方向に置換する工程をさらに包含する、方法。
【請求項２６】
請求項２５に記載の方法であって、ここで、前記第１回転可能検出器モジュールが、該第１回転可能検出器モジュールが前記第１検出器小モード位置と前記第１検出器大モード位置との間で回転する時間の間の少なくとも一部の間、前記主軸から第１回転可能検出器待機位置に半径方向に引かれる、方法。
【請求項２７】
請求項２５に記載の方法であって、ここで、前記第２回転可能検出器モジュールが、該第２回転可能検出器モジュールが前記第２検出器小モード位置と前記第２検出器大モード位置との間で回転する時間の間の少なくとも一部の間、前記主軸から第２回転可能検出器待機位置に半径方向に引かれる、方法。
【請求項２８】
請求項２５に記載の方法であって、ここで、前記第１回転可能検出器モジュールおよび前記第２回転可能検出器モジュールの両方の半径方向の置換が、前記第１回転可能検出器および該第２回転可能検出器の両方の個々の回転と同時に生じ得る、方法。
【請求項２９】
請求項１７に記載の方法であって、前記検出器リングに連結される、複数の個々の移動可能な検出器リングシールド部分の少なくとも１つを移動させる工程をさらに包含する、方法。
【請求項３０】
請求項１８に記載の方法であって、ここで、前記検出器リングが、主軸を規定し、そして、
ｉ）第１サブセットの各々のモジュールの長寸法が該主軸に実質的に平行である小モード位置において、前記複数の個々の移動可能検出器モジュールの該第１サブセット、および
ｉｉ）第２サブセットの各々のモジュールの長寸法が該主軸に実質的に垂直である大モード位置において、前記複数の個々の移動可能検出器モジュールの該第２サブセットを位置付ける工程、
をさらに包含する、方法。
【請求項３１】
請求項１８に記載の方法であって、ここで、前記検出器リングが、主軸を規定し、そして、
ｉ）サブ小モード位置において、前記複数の個々の移動可能検出器モジュールの第１サブセット、および
ｉｉ）待機位置において前記複数の個々の移動可能検出器モジュールの第２サブセット
を位置付ける工程をさらに包含し、該第２サブセットが、該第１サブセットよりも、該主軸から遠くに配置される、方法。
【請求項３２】
ラック、ピニオン、およびステッピングモーターを用いて行われる、請求項１７に記載の方法。
【請求項３３】
前記検出リングを変換する工程を行うための指示を提供するコンピュータプログラムを実行する工程をさらに包含する、請求項１７に記載の方法。
【請求項３４】
請求項１７に記載の方法であって、サンプルを画像化する工程をさらに包含する、方法。
【請求項３５】
データファイルがサンプルの画像を含む、請求項３４に記載の方法。
【請求項３６】
複数の独立した移動可能な検出器モジュールのうちの少なくとも１つを移動させることによって検出器リングを変換するためのコンピューターで実行可能な指示を含む、コンピュータ読み取り可能な媒体であって、
ここで、該検出器リングは、小モード検出器リング直径ＤＳおよび大モード検出リング直径ＤＬを有し；
ここで、複数の個々に移動可能な検出器の各々は、長寸法Ｗおよび短寸法Ｈを有し；そして
ここでＨ／ＤＳが、Ｗ／ＤＬにほぼ等しい、
コンピュータ読み取り可能な媒体。
【請求項３７】
複数の個々の移動可能なシールド部分を含む放射線シールドを備える、装置。
【請求項３８】
請求項３７に記載の装置であって、ここで、前記放射線シールドが、陽電子放射断層撮影検出器リング側面シールドを備える、装置。
【請求項３９】
請求項３７に記載の装置であって、ここで、前記複数の個々の移動可能なシールド部分のうちの少なくとも１つが、前記放射線シールドによって規定される主要平面に実質的に平行な軸の周りで可逆的に旋回可能である、装置。
【請求項４０】
請求項３９に記載の装置であって、ここで、前記放射線シールドが、前記複数の個々の移動可能なシールド部分のうちの少なくとも１つが連結される、固定シールド部分を備える、装置。
【請求項４１】
請求項４０に記載の装置であって、ここで、前記固定シールドセグメントが、前記複数の個々の移動可能なシールド部分の少なくとも１つの形状に実質的に一致する裏打ち部分を備える、装置。
【請求項４２】
請求項３９に記載の装置であって、ここで、前記放射線シールドが、前記複数の個々の移動可能なシールド部分の少なくとも１つが連結される、移動可能なシールド部分を備える、装置。
【請求項４３】
請求項４２に記載の装置であって、ここで、前記移動可能なシールドセグメントが、前記複数の個々の移動可能なシールド部分の少なくとも１つ形状に実質的に一致する裏打ち部分を備える、装置。
【請求項４４】
請求項３７に記載の装置であって、ここで、前記複数の個々に移動可能なシールドのうちの少なくとも１つが、前記放射線シールドによって規定される主要平面に実質的に平行な方向に沿って、可逆的にスライド可能である、装置。
【請求項４５】
請求項４４に記載の装置であって、ここで、前記放射線シールドが、前記複数の個々の移動可能なシールド部分のうちの少なくとも１つが連結される固定シールド部分を備える、装置。
【請求項４６】
請求項４５に記載の装置であって、ここで、前記固定シールドセグメントが、前記複数の個々に移動可能なシールド部分のうちの少なくとも１つの形状に実質的に一致する裏打ち部分を備える、装置。
【請求項４７】
請求項４４に記載の装置であって、ここで、前記放射線シールドが、前記複数の個々の移動可能なシールド部分のうちの少なくとも１つが連結される移動可能シールド部分を備える、装置。
【請求項４８】
請求項４７に記載の装置であって、ここで、前記移動可能シールドセグメントが、前記複数の個々の移動可能なシールド部分のうちの少なくとも１つの形状に実質的に一致する裏打ち部分を備える、装置。
【請求項４９】
請求項３７に記載の装置であって、ここで、前記複数の個々の移動可能なシールド部分のうちの少なくとも１つが、コンピュータプログラムによって伝達される信号に基づいて移動する、装置。
【請求項５０】
請求項３７に記載の装置であって、ここで、前記複数の個々の移動可能なシールド部分のうちの少なくとも１つが、手動によって可逆的に再配向され得る、装置。
【請求項５１】
請求項３７に記載の装置であって、前記放射線シールドに連結される陽電子放射断層撮影検出器リングをさらに備える、装置。
【請求項５２】
請求項５１に記載の装置であって、ここで、Ｈ／ＤＳが、Ｗ／ＤＬにほぼ等しく、ここで、Ｈが、検出ファセット短寸法であり、Ｗが、検出ファセット長寸法であり、ＤＳが、小モード検出器リング直径であり、そしてＤＬが、大モード検出リング直径である、装置。
【請求項５３】
請求項５１に記載の装置であって、前記陽電子放射断層撮影検出器リングに連結される別の放射線シールドをさらに備える、装置。
【請求項５４】
請求項３７に記載の装置を利用する工程を包含する、放射線を遮蔽するための方法。
【請求項５５】
請求項３７に記載の装置を備える、陽電子放射断層撮影カメラ。
【請求項５６】
方法であって、以下の工程：
複数の独立して移動可能なシールド部分のうちの少なくとも１つを移動する工程を包含する、陽電子放射断層撮影放射線シールドを再構成する工程を包含する、
方法。
【請求項５７】
請求項５６に記載の方法であって、前記複数の個々の移動可能なシールド部分のうちの少なくとも１つが、連結される移動可能シールド部分を移動させる工程をさらに包含する、方法。
【請求項５８】
請求項５６に記載の方法であって、ここで、移動させる工程が、前記放射線シールドによって規定される主要平面に実質的に平行な軸の周りで、前記複数の個々の移動可能なシールド部分のうちの少なくとも１つを旋回する工程を包含する、方法。
【請求項５９】
請求項５８に記載の方法であって、前記複数の個々の移動可能なシールド部分のうちの少なくとも１つが連結される移動可能なシールド部分を移動させる工程をさらに包含する、方法。
【請求項６０】
請求項５６に記載の方法であって、ここで、移動させる工程が、前記放射線シールドによって規定される主要平面に実質的に平行な方向に沿って、前記複数の個々の移動可能なシールド部分のうちの少なくとも１つをスライドさせる工程を包含する、方法。
【請求項６１】
請求項６０に記載の方法であって、前記複数の個々の移動可能なシールド部分のうちの少なくとも１つが連結される移動可能なシールド部分を移動させる工程をさらに包含する、方法。
【請求項６２】
請求項５６に記載の方法であって、前記複数の個々の移動可能なシールド部分のうちの少なくとも１つが、コンピュータプログラムによって伝達される信号に基づいて移動する、方法。
【請求項６３】
請求項５６に記載の方法であって、複数の個々に移動可能な検出器モジュールのうちの少なくとも１つを移動させる工程をさらに包含する、方法。
【請求項６４】
請求項６３に記載の方法であって、ここで、Ｈ／ＤＳが、Ｗ／ＤＬにほぼ等しく、ここで、Ｈが、検出ファセット短寸法であり、Ｗが、検出ファセット長寸法であり、ＤＳが、小モード検出器リング直径であり、そしてＤＬが、大モード検出リング直径である、方法。
【請求項６５】
請求項５６に記載の方法を実行するための装置。
【請求項６６】
請求項５６に記載の方法を実行するためのプログラムを含む、電子媒体。
【請求項６７】
請求項５６に記載の方法を実行するために翻訳可能なコンピュータまたは機械読み取り可能なプログラム要素を含む、コンピュータプログラム。
【請求項６８】
請求項５６に記載の方法であって、サンプルを画像化する工程をさらに包含する、方法。
【請求項６９】
請求項６８に記載の方法によって作製される画像を含む、データファイル。
【請求項７０】
コンピュータプログラムであって、該プログラムがコンピュータ上で実行される場合、複数の独立した移動可能なシールド部分のうちの少なくとも１つを移動させる工程を包含する、放射線シールドを再構成する工程を実行するために適合されたコンピュータプログラム手段を含む、コンピュータプログラム。
【請求項７１】
コンピュータ読み取り可能な媒体に埋め込まれた、請求項７０に記載のコンピュータプログラム。
【請求項７２】
方法であって、以下の工程：
サンプルの放射画像を作製する工程；
該サンプルの放射画像を作製しながら、該サンプルの透過画像を作製する工程；次いで、
該透過画像を用いて該放射画像を修正する工程、
を包含する、方法。
【請求項７３】
請求項７２に記載の方法であって、ここで、前記放射画像が陽電子放射画像を含み、そして前記透過画像が陽電子透過画像を含む、方法。
【請求項７４】
請求項７３に記載の方法であって、前記陽電子放射画像および前記陽電子透過画像を作製する前に、ｉ）第１サブセットの検出ファセット長寸法が検出器リングの主軸に実質的に平行である小モード位置における、前記複数の個々の移動可能検出器モジュールの該第１サブセット、およびｉｉ）第２サブセットの検出ファセット長寸法が該主軸に実質的に垂直である大モード位置における、前記複数の個々の移動可能検出器モジュールの該第２サブセット、を位置付ける工程をさらに包含する、方法。
【請求項７５】
請求項７２に記載の方法を実行するための、装置。
【請求項７６】
請求項７２に記載の方法を実行するためのプログラムを含む、電子媒体。
【請求項７７】
請求項７２に記載の方法を実行するために翻訳可能なコンピュータまたは機械読み取り可能なプログラム要素を含む、コンピュータプログラム。
【請求項７８】
請求項７２に記載の方法によって作製される画像を含む、データファイル。
【請求項７９】
コンピュータプログラムであって、サンプルの放射画像を作製する工程；該サンプルの該放射画像を作製しながら、該サンプルの透過画像を作製する工程；次いで、該プログラムがコンピュータ上で実行される場合、該透過画像を用いて該放射画像を修正する工程、を実行するために適合されたコンピュータプログラム手段を含む、コンピュータプログラム。
【請求項８０】
コンピュータ読み取り可能な媒体に埋め込まれた、請求項７９に記載のコンピュータプログラム。
【手続補正２】
【補正対象書類名】明細書
【補正対象項目名】００４０
【補正方法】変更
【補正の内容】
【００４０】
図５Ａを参照すると、本発明の代表的な実施形態が示され、ここで、側面シールド５１０は、１２個の独立して移動可能なシールド部分Ａ〜Ｌを備える。図５Ｂを参照すると、これらの独立して移動可能なシールド部分Ａ〜Ｌの各々が、ヒンジ留めされ、鏡収容位置Ａ’〜Ｌ’から延びることが理解され得る。この位置において、補完的部分Ａ’〜Ｌ’の各々は、裏打ち部分５２０を備える。図５Ｃに例示されるように、移動可能なシールド部分が検出器リングの主軸に向かって延びる場合でさえ、鏡補完部の遮蔽機能が残るように、裏打ち部分５２０を備える。
【手続補正３】
【補正対象書類名】図面
【補正対象項目名】全図
【補正方法】変更
【補正の内容】
【図１】
2004533607.tif 000001
【図２】
2004533607.tif 000002
【図３】
2004533607.tif 000003
【図４Ａ】
2004533607.tif 000004
【図４Ｂ】
2004533607.tif 000005
【図５】
2004533607.tif 000006
【図６】
2004533607.tif 000007
【図７】
2004533607.tif 000008
【図８】
2004533607.tif 000009
【図９】
2004533607.tif 000010